(57)【要約】【課題】化粧用品部から光線が出射されるため、暗い場所でも化粧ができる上、発光ユニットを化粧用品部から分離して照明装置として単独で使用することができる照明機能を有する化粧品構造を提供する。【解決手段】照明機能を有する化粧品構造は、化粧用品部１、連結部２及び発光ユニット３を備える。化粧用品部１は、透光材料からなる。連結部２は、化粧用品部１に連結固定された第１の端部と、発光ユニット３を嵌合させる嵌合部２１が設けられた第２の端部とを有する。発光ユニット３は、連結部２の嵌合部２１に対応してハウジング３１が設けられる。ハウジング３１中には、集光カバー３２及び電池が設けられる。集光カバー３２中に発光ユニット３が設置され、発光ユニット３の２つのピンに、第１の接触端子及び第２の接触端子がそれぞれ設けられる。【選択図】図１
0003172087.tif 000002
【実用新案登録請求の範囲】
【請求項１】
化粧用品部、連結部及び発光ユニットを備える照明機能を有する化粧品構造であって、
前記化粧用品部は、透光材料からなり、
前記連結部は、前記化粧用品部に連結固定された第１の端部と、前記発光ユニットを嵌合させる嵌合部が設けられた第２の端部と、を有し、
前記発光ユニットは、前記連結部の前記嵌合部に対応してハウジングが設けられ、前記ハウジング中には、集光カバー及び電池が設けられ、前記集光カバー中に前記発光ユニットが設置され、前記発光ユニットの２つのピンに、第１の接触端子及び第２の接触端子がそれぞれ設けられ、
前記第１の接触端子は、前記電池に接触され、前記ハウジングの外側には長孔が設けられ、前記長孔にはスイッチ部が組み込まれ、前記スイッチ部の裏側には押し部材が突設され、前記押し部材に対応するように、前記電池に接触された第３の接触端子が配置され、前記第３の接触端子は、前記押し部材に対応して設けられた支持部を有し、前記支持部は前記第２の接触端子の外側に位置することを特徴とする照明機能を有する化粧品構造。
【請求項２】
前記連結部には、凹溝部が外側に設けられた嵌合部が設けられ、
前記ハウジングの外側には、前記連結部の前記凹溝部に対応する箇所に前記長孔が設けられていることを特徴とする請求項１に記載の照明機能を有する化粧品構造。
【請求項３】
前記発光ユニットの前記ハウジング中には、第１の収納槽及び第２の収納槽がそれぞれ設けられ、
前記第１の収納槽中には、前記集光カバーが収納され、
前記第２の収納槽中には、前記電池が収納され、
前記第１の収納槽と前記第２の収納槽との間には、隔板が突設され、
前記発光ユニットの２つのピンに設けられた前記第１の接触端子及び前記第２の接触端子は、前記隔板の両側にそれぞれ位置することを特徴とする請求項１に記載の照明機能を有する化粧品構造。
【考案の詳細な説明】
【技術分野】
【０００１】
本考案は、照明機能を有する化粧品構造に関し、特に、化粧用品部から光線が出射されるため、暗い場所でも化粧ができる上、発光ユニットを化粧用品部から分離して照明装置として単独で使用することができる照明機能を有する化粧品構造に関する。
【背景技術】
【０００２】
人は生まれながらに美を求める動物であり、特に女性は美しさを求める傾向にある。例えば、女性が顔に化粧を施すことは美の探求心の現われである。また化粧を施すことは、他人に対するマナーでもあり、化粧を施すと元気があるように見える。例えば、現代女性の最も基本的な化粧品としては、アイシャドウ、マスカラ、口紅などがあり、これらを用いると目元を美しくしたり唇に色をつけて美しくしたりすることができる。
【０００３】
メーカは、化粧品の容器に対し、曲線、彩色、浮き彫りなどを施して美しくして見せたり、装飾品を組み込んだり、蛍光材料で製作したりすることにより、容器の見た目に特別な風格を持たせてコレクションとしての価値を高めて消費者の購買意欲が高まるように努力している。
【０００４】
メーカーは、消費者の目を引くために、化粧品容器に発光機能を持たせた化粧品容器の発光構造を開発している。この従来の化粧品容器の発光構造は、中空状の瓶体、キャップ及び発光セットを含む。中空状の瓶体は、瓶口を有する。キャップは、瓶体の瓶口に設けられ、キャップの前端に、口紅セットを設置する収納槽が設けられ、収納槽の周縁には、導光体が設けられている。発光セットは、中空状の瓶体とキャップの頂端部との間に隠れるように設けられている。
【０００５】
従来の化粧品容器の発光構造は、発光機能を有するが、化粧品（例えば、口紅、リップグロス）と結合され、発光セットを分離して単独で照明装置として使用することができないため不便であり、構造の改善が求められていた。
【考案の概要】
【考案が解決しようとする課題】
【０００６】
本考案の目的は、化粧用品部から光線が出射されるため、暗い場所でも化粧ができる上、発光ユニットを化粧用品部から分離して照明装置として単独で使用することができる照明機能を有する化粧品構造を提供することにある。
【課題を解決するための手段】
【０００７】
上記課題を解決するために、本考案の第１の形態によれば、化粧用品部、連結部及び発光ユニットを備える照明機能を有する化粧品構造であって、前記化粧用品部は、透光材料からなり、前記連結部は、前記化粧用品部に連結固定された第１の端部と、前記発光ユニットを嵌合させる嵌合部が設けられた第２の端部と、を有し、前記発光ユニットは、前記連結部の前記嵌合部に対応してハウジングが設けられ、前記ハウジング中には、集光カバー及び電池が設けられ、前記集光カバー中に前記発光ユニットが設置され、前記発光ユニットの２つのピンに、第１の接触端子及び第２の接触端子がそれぞれ設けられ、前記第１の接触端子は、前記電池に接触され、前記ハウジングの外側には長孔が設けられ、前記長孔にはスイッチ部が組み込まれ、前記スイッチ部の裏側には押し部材が突設され、前記押し部材に対応するように、前記電池に接触された第３の接触端子が配置され、前記第３の接触端子は、前記押し部材に対応して設けられた支持部を有し、前記支持部は前記第２の接触端子の外側に位置することを特徴とする照明機能を有する化粧品構造が提供される。
【０００８】
また、前記連結部には、凹溝部が外側に設けられた嵌合部が設けられ、前記ハウジングの外側には、前記連結部の前記凹溝部に対応する箇所に前記長孔が設けられていることが好ましい。
【０００９】
また、前記発光ユニットの前記ハウジング中には、第１の収納槽及び第２の収納槽がそれぞれ設けられ、前記第１の収納槽中には、前記集光カバーが収納され、前記第２の収納槽中には、前記電池が収納され、前記第１の収納槽と前記第２の収納槽との間には、隔板が突設され、前記発光ユニットの２つのピンに設けられた前記第１の接触端子及び前記第２の接触端子は、前記隔板の両側にそれぞれ位置することが好ましい。
【考案の効果】
【００１０】
本考案の照明機能を有する化粧品構造は、化粧用品部から光線が出射されるため、暗い場所でも化粧ができる上、発光ユニットを化粧用品部から分離して照明装置として単独で使用することができるため実用性が高い。
【図面の簡単な説明】
【００１１】
【図１】本考案の一実施形態による照明機能を有する化粧品構造を示す斜視図である。
【図２】本考案の一実施形態による照明機能を有する化粧品構造を示す分解斜視図である。
【図３】本考案の一実施形態による照明機能を有する化粧品構造を示す断面図である。
【図４】本考案の一実施形態による照明機能を有する化粧品構造を後方から見た断面図である。
【図５】本考案の一実施形態による照明機能を有する化粧品構造を上方から見た断面図である。
【図６】本考案の一実施形態による照明機能を有する化粧品構造を使用するときの状態を示す部分拡大図である。
【考案を実施するための形態】
【００１２】
図１を参照する。図１に示すように、本考案の一実施形態による照明機能を有する化粧品構造は、少なくとも化粧用品部１、連結部２及び発光ユニット３から構成される。
【００１３】
化粧用品部１は、透光材料からなる化粧品容器又は化粧用具でもよい。
【００１４】
連結部２は、化粧用品部１に連結固定された第１の端部と、嵌合部２１が設けられた第２の端部と、を有する。連結部２には、発光ユニット３を嵌合させることが可能なように発光ユニット３の外形に対応した形状を有する凹溝部２１１が設けられた嵌合部２１が形成されている。
【００１５】
図２を参照する。図２に示すように、本考案の一実施形態による照明機能を有する化粧品構造は、連結部２の嵌合部２１に対応するようにハウジング３１が設けられている。ハウジング３１内には、第１の収納槽３１１及び第２の収納槽３１２がそれぞれ設けられている。第１の収納槽３１１と第２の収納槽３１２との間には、隔板３１３が突設されている。第１の収納槽３１１内には、集光カバー３２が収納され、集光カバー３２内には発光ユニット３３が配置される。発光ユニット３３の２つのピンには、隔板３１３の両側に対応するように、第１の接触端子３３１及び第２の接触端子３３２がそれぞれ設けられている。電池３４は、第２の収納槽３１２内に収納可能である。ハウジング３１の外側には、連結部２の凹溝部２１１に対応した箇所に、長孔３１４が設けられている。この長孔３１４内には、スイッチ部３５が組み込まれている。このスイッチ部３５の内側には、押し部材３５１が突設され（図３を併せて参照する）、押し部材３５１に対応するように第３の接触端子３６が設けられている。この第３の接触端子３６は、押し部材３５１に対応して支持部３６１が設けられている。
【００１６】
本考案を組み合わせるとき、図３〜図５に示すように、化粧用品部１と連結部２とを連結固定し、発光ユニット３のハウジング３１の第１の収納槽３１１内に、集光カバー３２及び発光ユニット３３を収容する。発光ユニット３３の２つのピンの第１の接触端子３３１及び第２の接触端子３３２は、隔板３１３の両側にそれぞれ位置し、ハウジング３１の第２の収納槽３１２内に収容した電池３４の負極を第１の接触端子３３１に接触させるとともに、第２の接触端子３３２と電池３４の正極との間に第３の接触端子３６を設け、第３の接触端子３６の支持部３６１が第２の接触端子３３２の外側に位置する。ハウジング３１の長孔３１４内に設けられたスイッチ部３５の押し部材３５１により、第３の接触端子３６の支持部３６１が押圧されて第２の接触端子３３２と接触されなくなり、発光ユニット３のハウジング３１を連結部２の嵌合部２１内に対応するように嵌合させると、ハウジング３１の外側に設けた長孔３１４に組み合わせたスイッチ部３５が連結部２の凹溝部２１１中に位置する。
【００１７】
図６を併せて参照する。図６に示すように、本考案の一実施形態による照明機能を有する化粧品構造は、発光ユニット３のスイッチ部３５を押し動かすと、スイッチ部３５の裏側に突設された押し部材３５１が移動し、押し部材３５１が第３の接触端子３６の支持部３６１から離れると、第３の接触端子３６の支持部３６１は、それ自身が有する弾性回復力により内側に向かって移動して第２の接触端子３３２に接触する。電池３４は、第３の接触端子３６を介して第２の接触端子３３２及び発光ユニット３３に導通し、発光ユニット３３に電源が供給されると発光ユニット３３から光線が出射される。このように透光材料からなる化粧用品部１から外部に光線が出射されるため、ユーザは暗いところでも化粧をすることができる。
【００１８】
発光ユニット３のハウジング３１は、通常、連結部２の嵌合部２１内に対応するように嵌合されており、発光ユニット３を照明装置として使用する際、連結部２の嵌合部２１から発光ユニット３のハウジング３１を取り出して使用する。
【００１９】
上述したことから分かるように、本考案の照明機能を有する化粧品構造は、従来技術と比較すると、化粧用品部から光線が出射されるため、暗い場所でも化粧することができる上、発光ユニットを分離して単独で照明装置として用いることもできる。ユーザが照明機能を使用するときは、化粧用品部から発光ユニットを外側へ押し出して分離させるだけで発光ユニットを懐中電灯として用いることができる。例えば、夜間に自動車のドアを開けたり、ゲートを閉めたり、不注意により落としてしまった物を探したりする際にこの発光ユニットを使用することができる。さらに懐中電灯として用いる際に発光ユニットだけを取り出して使用するため、化粧用品部が汚れることを防ぐことができる。そのため実用性が高い。
【００２０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２１】
１      化粧用品部
２      連結部
３      発光ユニット
２１    嵌合部
３１    ハウジング
３２    集光カバー
３３    発光ユニット
３４    電池
３５    スイッチ部
３６    第３の接触端子
２１１  凹溝部
３１１  第１の収納槽
３１２  第２の収納槽
３１３  隔板
３１４  長孔
３３１  第１の接触端子
３３２  第２の接触端子
３５１  押し部材
３６１  支持部
【図１】
0003172087.tif 000003
【図２】
0003172087.tif 000004
【図３】
0003172087.tif 000005
【図４】
0003172087.tif 000006
【図５】
0003172087.tif 000007
【図６】
0003172087.tif 000008